(57)【要約】【課題】温室の傾斜状屋根の汚れや屋根に付着する塵を容易に除去して、常に温室屋根を清浄保って温室効果を安定保持させて、野菜栽培などにおける生産性を向上させる。【解決手段】温室１の傾斜屋根２面に沿って移動する台車４を設けると共に、屋根２面に沿って清掃させる清掃体５を台車４に設ける。【選択図】      図３
2004181141.tif 000002
【特許請求の範囲】
【請求項１】
温室の傾斜屋根面に沿って移動する台車を設けると共に、屋根面に沿って清掃させる清掃体を台車に設けたことを特徴とする温室の清掃装置。
【請求項２】
清掃体を台車に移動自在に設けたことを特徴とする請求項１記載の温室の清掃装置。
【発明の詳細な説明】
【０００１】
【発明の属する技術分野】
本発明は、温室上部に張設するガラス屋根上面を清掃する温室の清掃装置に関する。
【０００２】
【従来の技術】
従来、温室屋根上の積雪を融かして室内温度を一定状態に保つ積雪装置がある。（例えば、特許文献１参照）
【０００３】
【特許文献１】特許第３０５９３５８号公報
【０００４】
【発明が解決しようとする課題】
温室屋根上に塵埃が付着或いは堆積して汚れた状態となるときにも、室内温度の良好な保持が行われなくなるためその都度屋根上に作業者が上ったり、或いは屋根の側方より屋根との塵埃を除去する手間の煩わしさがある。
【０００５】
【課題を解決するための手段】
したがって本発明は、温室の傾斜屋根面に沿って移動する台車を設けると共に、屋根面に沿って清掃させる清掃体を台車に設けて、地上などより容易に台車や清掃体を操作して温室屋根を清浄に保って、室内温度の一定保持を図るものである。
【０００６】
また、清掃体を台車に移動自在に設けて、横巾などの短い清掃体を台車にコンパクトに支持させ、小形軽量に清掃装置を形成して、比較的強度の弱い温室屋根においても清掃作業を良好に行って、清掃作業の能率向上化を図るものである。
【０００７】
【発明の実施の形態】
以下、本発明の実施例を図面に基づいて詳述する。図１は温室屋根の清掃装置装着説明図、図２は清掃装置の取付説明図であり、ガラス板或いはビニールシートなどで形成する温室１の屋根２上に清掃装置３を装備させるもので、略山形状の屋根２の傾斜と直交する方向（長手方向）に走行させる清掃台車４を設け、円柱形ブラシ体５を清掃台車４の走行と直交する方向（長手方向）に移動自在に設け、屋根２の頂部及び左右側縁部に略水平に敷設する丸パイプ状のガイドレール６・７上を清掃台車４の前後溝付ガイド車輪８・９で往復移動させるように清掃装置３を設けている。
【０００８】
また、前記屋根２頂部に配設するガイドレール６は多数のノズル孔６ａを有する散水量に形成して、清掃作業時には必要に応じガイドレール６より屋根２面に放水を行うように構成している。
【０００９】
図３乃至図５に示す如く、前記清掃台車４は門形で長手状の台車フレーム１０の左右外側に前後ガイド車輪８・９を配備させ、後側の左右ガイド車輪の車軸１１に伝動ケース１２を介し電動モータなど駆動装置１３を連結させて台車４の自動走行を行うと共に、台車フレーム１０の前面或いは前後面に左右ガイドロッド１４及びバネ１５を介してガイド部材１６を進退自在に設け、ガイド部材１６の後退を検出する走行端センサ１７を設け、屋根２の長手方向の前端或いは前後端に配設する走行停止板１８にガイド部材１６が当接しセンサ１７がオン動作するとき台車フレーム１０の走行停止や反転を行うように構成している。
【００１０】
前記ブラシ体５はブラシ体フレーム１９を回転ネジ軸２０及びガイド軸２１を介し台車フレーム１０に軸２０・２１方向に移動自在に支持させ、ネジ軸２０に伝動ケース２２を介し連結する電動式ブラシ体移動モータなど駆動装置２３の正逆駆動により、ブラシ体５の円周直線部を屋根２上面に摺接させた状態で左右に往復移動させて、ブラシ体５の回転軸２４をフレーム１９に固設する伝動ケース２５を介し電動式ブラシ回転モータ２６に連結させて、屋根２上面の汚れや屋根２上面に付着する塵などの掃除を行うように構成している。
【００１１】
上記からも明らかなように、温室１の傾斜屋根２面に沿って移動する台車４を設けると共に、屋根２面に沿って清掃させる清掃体であるブラシ体５を台車４に設けたことによって、地上などより遠隔で容易に台車４やブラシ体５を操作して温室屋根２を清浄に保って、室内温度の一定保持を図ることができる。
【００１２】
また、ブラシ体５を台車４に移動自在に設けたことによって、横巾などの短いブラシ体５を台車４にコンパクトに支持させ、小形軽量に清掃装置３を形成して、比較的強度の弱い温室屋根２においても清掃作業を良好に行って、清掃作業の能率向上化を図ることができる。
【００１３】
図６に示す如く、前記清掃台車４を屋根２位置側方まで搬送する運搬車２７を配備させるもので、屋根２の傾斜と同一傾斜姿勢で台車４を走行案内するガイドレール２８を昇降台２９に配設させ、走行輪３０を有する運搬台車３１に油圧シリンダなど昇降機構３２を介し昇降自在に昇降台２９を連結支持させ、任意の温室屋根２位置まで運搬車２７で清浄台車４を運搬し、屋根２上のガイドレール６・７に運搬車２７のガイドレール２８が一致する状態まで昇降台２９を上昇させ、運搬車２７より屋根２上面に台車４を移し換えてブラシ体５による屋根２の清掃を行うもので、１つの清掃装置３を多数の温室１に有効使用するように構成している。
【００１４】
なお、上述実施例にあっては屋根２片側の清掃のみを示したが、屋根２他側にも同様の清掃台車４を装備させても良く、また台車４を振り替える構成でも良い。
【００１５】
また上述実施例にあっては、移動モータ２５によってブラシ体５を軸２０・２１方向に移動させる構成を示したが、図７に示すものは、台車４の横巾と略同じ長さのブラシ体５ａを台車フレーム１０に取付けて、台車４の屋根２傾斜方向に沿う移動のみで屋根２片側全面の清掃を可能とさせた構成を示すもので、作業の能率向上化を図ることができる。
【００１６】
図８に示すものは、横円柱形のブラシ体５に換え水平回転式のブラシ体５ｂをブラシ体フレーム１９の左右側板１９ａ間のベース台３３に縦型ブラシ体回転モータ３４を介し取付けた構成を示すもので、平面視円形のブラシ体５ｂを屋根１上面に面接触させて良好に清掃を行うことができる。
【００１７】
図９に示すものは、連棟型の温室１ａにあって、隣接する温室１ａ間の屋根２谷間３５に温室１ａの長手方向に沿う丸パイプ形ガイドレール３６を配備させ、１つの温室１ａの屋根２上方を跨ぐ状態に清掃台車４の台車フレーム３７を形成し、台車フレーム３７に設ける溝付ガイド車輪３８を前記ガイドレール３６に嵌合させ、ガイドレール３６に沿った清掃台車４の移動中に台車フレーム３７の傾斜一側或いは両側に左右移動自在に支持させるブラシ体５によって屋根２上面を清掃する構成を示すもので、清掃台車４を安定走行させながらの良好な清掃を可能とさせることができる。
【００１８】
なお、上述実施例にあってガイドレール６・７・３６に丸パイプ形のものを用いたがＩ形或いは４角形など何れでも良い。
【００１９】
【発明の効果】
以上実施例から明らかなように本発明は、温室１の傾斜屋根２面に沿って移動する台車４を設けると共に、屋根２面に沿って清掃させる清掃体５を台車４に設けたものであるから、地上などより容易に台車４や清掃体５を操作して温室屋根２を清浄に保って、室内温度の一定保持を図ることができるものである。
【００２０】
また、清掃体５を台車４に移動自在に設けたものであるから、横巾などの短い清掃体５を台車４にコンパクトに支持させ、小形軽量に清掃装置３を形成して、比較的強度の弱い温室屋根２においても清掃作業を良好に行って、清掃作業の能率向上化を図ることができるものである。
【図面の簡単な説明】
【図１】温室屋根の清掃装置装着説明図。
【図２】清掃装置の取付説明図。
【図３】清掃装置の説明図。
【図４】清掃装置の断面説明図。
【図５】清掃装置の平面説明図。
【図６】運搬車の説明図。
【図７】ブラシ体の変形説明図。
【図８】ブラシ体の変形説明図。
【図９】連棟型温室における清掃装置使用説明図。
【符号の説明】
１      温室
２      屋根
４      台車
５      ブラシ体（清掃体）
【図１】
2004181141.tif 000003
【図２】
2004181141.tif 000004
【図３】
2004181141.tif 000005
【図４】
2004181141.tif 000006
【図５】
2004181141.tif 000007
【図６】
2004181141.tif 000008
【図７】
2004181141.tif 000009
【図８】
2004181141.tif 000010
【図９】
2004181141.tif 000011